(57)【要約】      （修正有）【課題】伸縮自在な支持棒を経由した配線を必要とすることなく水溶性液体の気化により霧化した擬似煙を発生して効率良く煙感知器の試験作業を可能とする。【解決手段】加煙試験器具は、操作部１２に伸縮自在な中空の支持棒を介して試験対象となる煙感知器に煙を供給するため、操作部１２に、支持棒を介して煙を供給して放出させる発煙部３２が設けられる。操作部１２に設けられた発煙部３２は、操作スイッチ１８のオン操作によりエアーポンプ部４０を駆動してエアーホース４２を介して発煙カートリッジ３６の筒体内に加圧空気を送り、気流検知部４６が発煙カートリッジ３６に送る気流を検知した場合に、ヒータの通電による加熱で気化した水溶性液体を霧化して擬似煙を発生させ、更に、送風部４４を駆動して発煙カートリッジ３６から放出された擬似煙を支持棒の内部通路を経由して拡散ガイドに供給して放出させる。【選択図】図２
2017228019.tif 000002
【特許請求の範囲】
【請求項１】
操作部に伸縮自在な中空の支持棒を介して試験対象となる煙感知器に煙を入流させる加煙試験器具に於いて、
前記操作部に、前記支持棒を介して前記支持棒先端に煙を供給して放出させる発煙部が設けられたことを特徴とする加煙試験器具。
【請求項２】
請求項１記載の加煙試験器具に於いて、前記発煙部は、
一端に空気の流入口を有すると共に他端に煙の放出口を有する筒体と、
前記筒体内に配置されたヒータと、
前記ヒータと共に前記筒体内に収納され、加熱により気化する所定の水溶性液体が含浸された液体供給部と、
前記筒体の流入口に加圧空気を供給するエアーポンプ部と、
前記筒体の前記放出口から放出された煙を前記支持棒の内部通路を経由して前記支持棒先端に供給して放出させる送風部と、
所定の操作により前記エアーポンプ部を駆動して前記筒体内に加圧空気を送ると共に、前記ヒータの通電による加熱で気化した前記水溶性液体を霧化して擬似煙を発生させ、更に、前記送風部を駆動して前記筒体から放出された前記擬似煙を前記支持棒の内部通路を経由して前記支持棒先端に供給して放出させる制御部と、
が設けられたことを特徴とする加煙試験器具。
【請求項３】
請求項１記載の加煙試験器具に於いて、前記発煙部は、
一端に空気の流入口を有すると共に他端に煙の放出口を有する筒体と、
前記筒体内に配置されたヒータと、
前記ヒータと共に前記筒体内に収納され、加熱により気化する所定の水溶性液体が含浸された液体供給部と、
前記筒体の流入口に加圧空気を供給するエアーポンプ部と、
前記エアーポンプ部により前記筒体内に送られた空気の気流を検知する気流検知部と、
前記筒体の前記放出口から放出された煙を前記支持棒の内部通路を経由して前記支持棒先端に供給して放出させる送風部と、
所定の操作により前記エアーポンプ部を駆動して前記筒体内に加圧空気を送ると共に、前記気流検知部により前記筒体内を通る気流を検知した場合に、前記ヒータの通電による加熱で気化した前記水溶性液体を霧化して擬似煙を発生させ、更に、前記送風部を駆動して前記筒体から放出された前記擬似煙を前記支持棒の内部通路を経由して前記支持棒先端に供給して放出させる制御部と、
が設けられたことを特徴とする加煙試験器具。
【請求項４】
請求項２又は３記載の加煙試験器具に於いて、
前記ヒータ及び前記液体供給部を備えた筒体を、前記操作部に対し着脱自在なカートリッジ構造体とし、
前記カートリッジ構造体は、前記送風部から送られた風を通す中空円筒ホルダーに同軸に支持されたカートリッジ取付部の取付穴に対し着脱自在に設けられるものであって、
前記操作部に開閉可能な蓋部を設け、
前記蓋部は、蓋部閉鎖時は前記中空円筒ホルダーの一部として機能し、
蓋部開放時は前記カートリッジ取付部を露出させ、前記カートリッジ構造体が着脱交換自在とする蓋部であることを特徴とする加煙試験器具。
【請求項５】
請求項２又は３記載の加煙試験器具に於いて、
前記ヒータ及び前記液体供給部を備えた筒体を、前記操作部に対し着脱自在なカートリッジ構造体とし、
前記操作部に設けられた前記支持棒の取付口の内部に、前記カートリッジ構造体が着脱交換自在に装着されたことを特徴とする加煙試験器具。
【請求項６】
請求項４又は５記載の加煙試験器具に於いて、
前記カートリッジ構造体は、前記送風部から送られた風を通す中空円筒ホルダーの先端側に同軸に支持されたカートリッジ取付部の取付穴に着脱自在に設けられ、前記カートリッジ部の取付穴に連通するホース接続口に前記エアーポンプ部からのエアーホースが接続され、前記カートリッジ構造体に前記エアーポンプ部からの加圧空気を送り込むと共に前記カートリッジ構造体の周囲に前記送風部からの風を流す２重送風構造が設けられたことを特徴とする加煙試験器具。
【請求項７】
請求項４又は５記載の加煙試験器具に於いて、
前記操作部に、前記カートリッジ構造体を交換自在に外部露出させるカートリッジ交換蓋が開閉自在又は着脱自在に設けられたことを特徴とする加煙試験器具。
【請求項８】
請求項１に記載の加煙試験器具に於いて、
前記水溶性液体は、プロピレングリコール、グリセリン、ジプロピレングリコール、トリプロピレングリコール又はグリコールのうち少なくとも一の成分を含むものであることを特徴とする加煙試験器具。
【発明の詳細な説明】
【技術分野】
【０００１】
本発明は、煙感知器の動作試験に用いられる加煙試験器具に関する。
【背景技術】
【０００２】
従来、オフィス等の建物内には火災報知設備が設置されており、火災が発生した場合に、火災により発生した煙を煙感知器で検知して発報信号を受信機に送って火災警報を出力させ、消火、避難、消防活動を行うことができるようにしている。
【０００３】
火災報知設備は、建物への設置後、定期的に点検が行われており、煙感知器については加煙試験器具を用いた動作試験が行われる。
【０００４】
煙感知器の動作試験に用いられる加煙試験器具としては、ガスボンベ又は工業用線香を用いたものが用いられている。
【０００５】
しかし、ガスボンベを用いた加煙試験器具によれば、フロンガスを使用しているために価格が高く、今後は代替えフロンの入手が困難なことから価格高騰が予想され、更に、ガス噴射量の制御が容易でないため、点検の作業効率が悪いという問題があった。
【０００６】
また、工業用線香を用いた加煙試験器具によれば、臭いが強いため、多数の人が集まる建物、特に病院での使用は倦厭され、また、１本の線香で点検できる数量が限定され、更に、途中で立ち消えする可能性もあり、点検の作業効率が悪いといった問題があった。
【０００７】
このような問題を解決するため特許文献１の加煙試験器具にあっては、 操作部に対し伸縮自在な支持棒を介して設けられた感知器カバー内に、先端部から煙を放出する発煙体を設け、発煙体は筒内にヒータと水溶性液体が含浸された液体供給部を備え、試験を行う場合には送風部から筒体内に空気を送り、ヒータによる加熱で気化した水溶性液体を霧化して擬似煙を放出させて煙感知器の試験を行うようにしている。
【０００８】
このような加煙試験治具によれば、水溶性液体の気化により霧化した擬似煙を発生させるものであるため、煙感知器や天井面に粘性のある油煙等を付着させて汚したり、更に塵埃類を付着させたりすることを回避して、煙感知器の動作試験を行うことができる。
【先行技術文献】
【特許文献】
【０００９】
【特許文献１】特平２０１３−１２７７６６号公報
【特許文献２】特平２０１３−１２７７６５号公報
【発明の概要】
【発明が解決しようとする課題】
【００１０】
しかしながら、このような従来の加煙試験器具にあっては、操作部に対し伸縮自在な支持棒を介して設けられた先端の感知器カバーの中に水溶性液体の気化により霧化した擬似煙を発生させる発煙体が設けられ、一方、操作部に電源部、操作スイッチ及び制御部が設けられていたため、操作部と感知器カバーに設けられた発煙体のヒータや送風モータとの間を、支持棒の伸縮に対し電路の長さを可変可能な特殊な配線構造で接続する必要があり、配線構造が複雑化してコストが嵩む問題があり、また、支持棒の伸縮を繰り返していると、接続不良等による故障を起こす問題もある。
【００１１】
更に、操作部に装着された支持棒の先端に設けた感知器カバー内に発煙体が設けられたことで、加煙試験器具の先端側が重くなり、天井面に設置されている煙感知器に感知器カバーを当てて上向きで行う試験作業が大変となり、作業負担が増加する問題もある。
【００１２】
本発明は、伸縮自在な支持棒を経由した配線を必要とすることなく水溶性液体の気化により霧化した擬似煙を発生して効率良く煙感知器の試験作業を可能とする加煙試験器具を提供することを目的とする。
【課題を解決するための手段】
【００１３】
（加煙試験器具）
本発明は、操作部に伸縮自在な中空の支持棒を介して試験対象となる煙感知器に煙を入流させる加煙試験器具に於いて、
操作部に、支持棒を介して支持棒先端に煙を供給して放出させる発煙部が設けられたことを特徴とする。
【００１４】
（発煙部）
発煙部は、
一端に空気の流入口を有すると共に他端に煙の放出口を有する筒体と、
筒体内に配置されたヒータと、
ヒータと共に筒体内に収納され、加熱により気化する所定の水溶性液体が含浸された液体供給部と、
筒体の流入口に加圧空気を供給するエアーポンプ部と、
筒体の放出口から放出された煙を支持棒の内部通路を経由して支持棒先端に供給して放出させる送風部と、
所定の操作によりエアーポンプ部を駆動して筒体内に加圧空気を送ると共に、ヒータの通電による加熱で気化した水溶性液体を霧化して擬似煙を発生させ、更に、送風部を駆動して筒体から放出された擬似煙を支持棒の内部通路を経由して支持棒先端に供給して放出させる制御部と、
が設けられる。
【００１５】
（気流検知器を備えた発煙部）
発煙部は、
一端に空気の流入口を有すると共に他端に煙の放出口を有する筒体と、
筒体内に配置されたヒータと、
ヒータと共に筒体内に収納され、加熱により気化する所定の水溶性液体が含浸された液体供給部と、
筒体の流入口に加圧空気を供給するエアーポンプ部と、
エアーポンプ部により筒体内に送られた空気の気流を検知する気流検知部と、
筒体の放出口から放出された煙を支持棒の内部通路を経由して支持棒先端に供給して放出させる送風部と、
所定の操作によりエアーポンプ部を駆動して筒体内に加圧空気を送ると共に、気流検知部により筒体内を通る気流を検知した場合に、ヒータの通電による加熱で気化した水溶性液体を霧化して擬似煙を発生させ、更に、送風部を駆動して筒体から放出された擬似煙を支持棒の内部通路を経由して支持棒先端に供給して放出させる制御部と、
が設けられる。
【００１６】
（カートリッジ構造体）
ヒータ及び液体供給部を備えた筒体を、操作部に対し着脱自在なカートリッジ構造体とする。
【００１７】
（交換蓋でのカートリッジ交換）
カートリッジ構造体は、送風部から送られた風を通す中空円筒ホルダーに同軸に支持されたカートリッジ取付部の取付穴に対し着脱自在に設けられ、更に、操作部に開閉可能な蓋部を設け、蓋部閉鎖時は中空円筒ホルダーの一部として機能し、蓋部開放時はカートリッジ取付部を露出させ、カートリッジ構造体が着脱交換自在とする蓋部が設けられる。
【００１８】
（支持棒取付口でのカートリッジ交換）
操作部に設けられた支持棒の取付口の内部に、カートリッジ構造体が着脱自在に装着される。
【００１９】
（発煙カートリッジの２重送風構造）
カートリッジ構造体は、送風部から送られた風を通す中空円筒ホルダーの先端側に同軸に支持されたカートリッジ取付部の取付穴に着脱自在に設けられ、カートリッジ部の取付穴に連通するホース接続口にエアーポンプ部からのエアーホースが接続され、カートリッジ構造体にエアーポンプ部からの加圧空気を送り込むと共にカートリッジ構造体の周囲に送風部からの風を流す２重送風構造が設けられる。
【００２０】
（カートリッジ交換蓋）
操作部に、カートリッジ構造体を交換自在に外部露出させるカートリッジ交換蓋が開閉自在又は着脱自在に設けられる。
【００２１】
（水溶性液体）
水溶性液体は、プロピレングリコール、グリセリン、ジプロピレングリコール、トリプロピレングリコール又はグリコールのうち少なくとも一の成分が含まれる。
【発明の効果】
【００２２】
（基本的な効果）
本発明は、操作部に伸縮自在な中空の支持棒を介して試験対象となる煙感知器に煙を供給させる加煙試験器具に於いて、操作部に、支持棒を介して支持棒先端に煙を供給して放出させる発煙部が設けられたため、発煙部は操作部側に設けられていることから、発煙部を感知器カバーに設けた場合のように、伸縮自在な支持棒を介して操作部と発煙部との間の配線接続が不要となり、配線は全て操作部側で済むことから、配線が簡単でコストも低減でき、更に、支持棒の先端が重くならないことで、発煙試験機器の取り扱いが容易となり、また、支持棒の伸縮に伴う配線不良の発生もない。
【００２３】
（発煙部による効果）
また、発煙部は、一端に空気の流入口を有すると共に他端に煙の放出口を有する筒体と、筒体内に配置されたヒータと、ヒータと共に筒体内に収納され、加熱により気化する所定の水溶性液体が含浸された液体供給部と、筒体の流入口に加圧空気を供給するエアーポンプ部と、筒体の放出口から放出された煙を支持棒の内部通路を経由して支持棒先端に供給して放出させる送風部と、所定の操作によりエアーポンプ部を駆動して筒体内に加圧空気を送ると共に、ヒータの通電による加熱で気化した水溶性液体を霧化して擬似煙を発生させ、更に、送風部を駆動して筒体から放出された擬似煙を支持棒の内部通路を経由して支持棒先端に供給して放出させる制御部とが設けられたため、エアーポンプにより筒体に空気を送り込ながら、ヒータの通電による加熱で溶性液体を気化させて霧化した擬似煙を発生させ、この擬似煙を送風部により、支持棒の内部通路を介して支持棒先端側に強制送付により送り込むことで、確実に支持棒先端から擬似煙を放出させて煙感知器の動作試験を可能とする。
【００２４】
（気流検知部を備えた発煙部による効果）
また、発煙部は、一端に空気の流入口を有すると共に他端に煙の放出口を有する筒体と、筒体内に配置されたヒータと、ヒータと共に筒体内に収納され、加熱により気化する所定の水溶性液体が含浸された液体供給部と、筒体の流入口に加圧空気を供給するエアーポンプ部と、エアーポンプ部により筒体内に送られた空気の気流を検知する気流検知部と、筒体の放出口から放出された煙を支持棒の内部通路を経由して支持棒先端に供給して放出させる送風部と、所定の操作によりエアーポンプ部を駆動して筒体内に加圧空気を送ると共に、気流検知部により筒体内を通る気流を検知した場合に、ヒータの通電による加熱で気化した水溶性液体を霧化して擬似煙を発生させ、更に、送風部を駆動して筒体から放出された擬似煙を支持棒の内部通路を経由して支持棒先端に供給して放出させる制御部とが設けられたため、エアーポンプにより筒体に空気を送り込ながら、ヒータの通電による加熱で水溶性液体を気化させて霧化した擬似煙を発生させ、この擬似煙を送風部により、支持棒の内部通路を介して支持棒先端側に強制送付により送り込むことで、確実に支持棒先端から擬似煙を放出させて煙感知器の動作試験を可能とし、更に、筒体内を流れる気流を気流検知部により検知している場合にヒータの通電加熱で水溶性液体を気化させて擬似煙を発生させることができ、エアーポンプの異常、エアーホースの詰まりなどの異常による気流がない状態でのヒータの通電による異常な加熱を防止可能とする。
【００２５】
（カートリッジ構造体による効果）
また、ヒータ及び液体供給部を備えた筒体を、操作部に対し着脱自在なカートリッジ構造体とし、カートリッジ構造体が着脱交換自在に装着されたため、液体供給部に含浸している水溶性液体を使い切った場合、カートリッジ構造体を簡単に交換して、煙感知器の試験作業を継続することができる。
【００２６】
（交換蓋でのカートリッジ交換）
また、蓋部閉鎖時は中空円筒ホルダーの一部として機能し、蓋部開放時はカートリッジ取付部を露出させ、カートリッジ構造体が着脱交換自在とする蓋部が設けられるようにしたため、蓋部を閉鎖することで試験することができ、蓋部を開放することでカートリッジ構造体を交換できるようになるので、蓋部の開閉または着脱とカートリッジ構造体の交換だけで試験を継続することができる。
【００２７】
（支持棒取付口でのカートリッジ交換）
また、操作部に設けられた支持棒の取付口の内部に、カートリッジ構造体が着脱自在に装着されるようにした際には、支持棒を外して操作部の取付口に装着しているカートリッジ構造体を簡単に交換して、再度支持棒を取り付けることで煙感知器の試験作業を継続することができる。
【００２８】
（発煙カートリッジの２重送風構造による効果）
また、カートリッジ構造体は、送風部から送られた風を通す中空円筒ホルダーの先端側に同軸に支持されたカートリッジ取付部の取付穴に着脱自在に設けられ、カートリッジ部の取付穴に連通するホース接続口にエアーポンプ部からのエアーホースが接続され、カートリッジ構造体にエアーポンプ部からの加圧空気を送り込むと共にカートリッジ構造体の周囲に送風部からの風を流す２重送風構造が設けられたため、エアーポンプ部からの加圧空気の送り込みにより発生した疑似煙は、その周囲を包むようにして流れる送風部からの風に乗って効率良く支持棒の内部通路を通って先端の支持棒先端内に送り込むことが可能となる。
【００２９】
（カートリッジ交換蓋による効果）
また、操作部に、カートリッジ構造体を交換自在に外部露出させるカートリッジ交換蓋が開閉自在又は着脱自在に設けられたため、カートリッジ構造体を使い切った場合には、手元側の操作部への作業だけで簡単に新品に交換することが可能となる。そのため、試験時に交換が必要となったときでも、支持棒を煙感知器に向けたまま交換でき、試験を継続できる。
【００３０】
（水溶性液体による効果）
水溶性液体は、プロピレングリコール、グリセリン、ジプロピレングリコール、トリプロピレングリコール又はグリコールのうち少なくとも一の成分が含まれたため、ヒータによる加熱気化により白色に近い擬似煙が生成され、的確かつ作業効率よく煙感知器を動作確認することができ，また、安価な成分の水溶性液体であることから、加煙試験器具の製造コスト及び運用コストを抑えることが可能となる。
【図面の簡単な説明】
【００３１】
【図１】加煙試験器具の実施形態を煙感知器の試験状態で示した説明図
【図２】図１の操作部に設けられた発煙部の構造を示した説明図
【図３】図２の発煙カートリッジが装着されたホルダーを取出して示した説明図
【図４】本実施形態で使用する発煙カートリッジの実施形態を断面により示した説明図
【図５】操作部のカートリッジ交換蓋を開いた状態を示した説明図
【図６】図１の操作部に設けられた発煙部構造の他の実施形態を示した説明図
【発明を実施するための形態】
【００３２】
［加煙試験器具の概要］
図１は加煙試験器具の実施形態を煙感知器の試験状態で示した説明図である。図１に示すように、本実施形態の加煙試験器具１０は、操作部１２、支持棒１４及び感知器カバー１６で構成される。
【００３３】
操作部１２には、ヒータの通電による加熱で気化した水溶性液体を霧化して擬似煙を発生させる発煙部が収納され、電源スイッチ２０と発煙部を作動させるための操作スイッチ１８が設けられている。また、操作部１２にはカートリッジ交換蓋１９が設けられている。
【００３４】
支持棒１４は操作部１２の先端側に着脱自在に装着されており、本実施形態にあっては、操作部１２に着脱自在に接続された第１パイプ部材２２と、第１パイプ部材２２の中に挿入されて軸方向に摺動自在な第２パイプ部材２４で構成される。
【００３５】
第１パイプ部材２２と第２パイプ部材２４は中空のパイプ構造を持ち、内部に先端の開口部から煙を放出させるための内部通路を持っており、内部通路となるパイプ部材の内径は、例えば１０ミリ以上であり、実用的には２０ミリ前後が望ましい。
【００３６】
また、第１パイプ部材２２と第２パイプ部材２４の２段パイプ構造による支持棒１４の長さとしては、第１パイプ部材２２に第２パイプ部材２４を引き込んだ最小長さが約１メートル程度で、第２パイプ部材２４を最大に引き出した時の長さが２メートル程度となる。第１パイプ部材２２から引き出した第２パイプ部材２４の引き出し位置の保持は、ゴムストッパ２５により行われる。
【００３７】
また、第１パイプ部材２２及び第２パイプ部材２４は、例えばＦＲＰ樹脂の高絶縁性軽量材料で作られており、高圧電気設備に設けられるような煙感知器の試験の際にも極めて高い耐絶縁性を保証していると共に、軽量化が図られている。
【００３８】
第２パイプ部材２４の先端は煙放出口となり、ここに拡散ガイド２６を装着している。拡散ガイド２６は、支持棒１４内の内部通路を通って送られてきた煙を天井面等に設置している煙感知器３０の周囲に包むように広げる。更に拡散ガイド２６に対しては、感知器カバー１６が取り付けられている。
【００３９】
感知器カバー１６は漏斗型の防風用のカバー部と蛇腹構造のクッション部で一体に構成される。感知器カバー１６は試験対象となる煙感知器の外側を覆って位置決めされ、透明な透明ＡＢＳ樹脂及びシリコンゴム等の材料で内部が見えるように作られており、煙感知器３０が試験用の煙を受けた作動した場合の発報表示灯の点灯を作業者が下側から容易に確認可能とする。なお、感知器カバー１６は空調装置から吹き出した風を受けている場所に設置された煙感知器の動作試験の際に使用する。
【００４０】
また、感知器カバー１６を用いず、拡散ガイド２６より煙感知器に煙を流入させる場合もある。
【００４１】
［発煙部の構造］
図２は図１の操作部に設けられた発煙部の構造を示した説明図、図３は図２の発煙カートリッジが装着されたホルダーを取出して示した説明図であり、図３（Ａ）に断面を示し、図３（Ｂ）に平面を示す。また、図４は本実施形態で使用する発煙カートリッジの実施形態を断面により示した説明図、図５は操作部のカートリッジ交換蓋を開いた状態を示した説明図である。
【００４２】
（発煙部の概要）
図２に示すように、加煙試験器具１０の操作部１２には、発煙部３２が組み込まれている。発煙部３２は、電源部３８、ホルダー３４、発煙カートリッジ３６、エアーポンプ部４０、エアーホース４２、送風部４４、気流検知部４６及び制御部４８を備える。
【００４３】
操作部１２の先端側に取付穴１５が形成され、取付穴１５に対し支持棒１４の下側に位置する第１パイプ部材２２が着脱自在に嵌め込まれている。また、取付穴１５に続いて収納部１７が形成されている。収納部１７から取付穴１５に嵌め込まれた第１パイプ部材２２の内部に対しホルダー３４が嵌め込まれている。
【００４４】
ホルダー３４は、図３に示すように、中空円筒部材の下端を開口して外周に張出部３５が形成され、上端にカートリッジ取付部５０が設けられ、カートリッジ取付部５０の取付穴に発煙カートリッジ３６が着脱自在に装着されている。また、発煙カートリッジ３６の下側外周にはプラグ５２が形成されており、カートリッジ取付部５０に発煙カートリッジ３６を嵌め入れた場合に、プラグ５２の接続ピンがホルダー３４側のコネクタ５４に接続されるようにしている。
【００４５】
ホルダー３４は中空円筒部材であるが、発煙カートリッジ３６を取付穴１５の開口側に保持できれば良いことから強度はそれほど必要とせず、例えば、網目構造の中空円筒部材とすることで、柔軟性を持たせるようにしても良い。
【００４６】
カートリッジ取付部５０の下にはホース接続口５６が設けられ、ホルダー３４内を通して図２のエアーポンプ部４０からのエアーボース４２が接続され、矢印Ａに示すように、エアーポンプ部４０から送り出された加圧空気を発煙カートリッジ３６に送り込むようにしている。
【００４７】
ホルダー３４の上端に設けられたカートリッジ取付部５０の周囲には開口５５が形成されており、矢印Ｂに示すように、図２の送風部４４から送り出された気流をホルダー３４内の通風路５８から開口５５を通り、更に、発煙カートリッジ３６の周囲を通って支持棒１４の第１パイプ部材２２側に通風させるようにしている。
【００４８】
再び図２を参照するに、電源部３８は充電可能なリチウムイオン電池等の二次電池が設けられており、発煙部３２に設けられた発煙カートリッジ３６、エアーポンプ部４０、送風部４４、気流検知部４６及び制御部４８に対する電源を供給している。なお、電源部３８は再充電ができない一次電池や商用交流電源を入力して所定の直流電圧を出力するＡＣ−ＤＣ変換アダプタとしても良い。
【００４９】
エアーポンプ部４０は電磁駆動により加圧空気を出力するもので、例えば水槽用のエアーポンプ等が使用され、エアーホース４２によりホルダー３４の先端に装着した発煙カートリッジ３６に加圧空気を送り込むようにしている。
【００５０】
また、エアーポンプ部４０と発煙カートリッジ３６を繋ぐエアーホース４２の途中には、気流検知部４６が収納されたアダプタ４５が設けられており、エアーホース４２内を流れる気流を検知し、気流検知信号を制御部４８に出力するようにしている。なお、気流検知部４６は、エアーポンプ部４０から発煙カートリッジ３６に加圧空気を送る経路であれば、エアーホース４２の途中に限定されず、発煙カートリッジ内部を含む適宜の位置に設けても良い。
【００５１】
送風部４４はモータ駆動のファンであり、ホルダー３４内から発煙カートリッジ３６の周囲を通り、更に、支持棒１４の内部通路を通り、感知器カバー１６内に発煙カートリッジ３６から放出された煙を送り込むようにしている。
【００５２】
制御部４８は、電源スイッチ２０のオン操作により、電源部３８からの電源供給を受けて動作状態となり、操作スイッチ１８のオン操作を検出すると、エアーポンプ部４０を駆動し、加圧空気をエアーホース４２を介して発煙カートリッジ３６に送り込み、また、送風部４４のモータを駆動してファンを回転させることで、ホルダー３４内から発煙カートリッジ３６の周囲を通って風を送り込む制御を行う。
【００５３】
また、制御部４８は、エアーホース４２内に設けられた気流検知部４６の気流検知信号によりエアーポンプ部４０の駆動により流れる気流を検知した場合、発煙カートリッジ３６に内蔵されているヒータに通電して加熱させ、発煙カートリッジ３６内に組み込まれている液体供給部に含浸された発煙用の水溶性溶液を気化させることで擬似煙を発煙させる制御を行う。
【００５４】
（発煙カートリッジ）
図４に示すように、発煙カートリッジ３６は、筒体６０の内部に棒状の液体供給部６６が収納され、液体供給部６６にはヒータ６８が巻き回され、ヒータ６８の先端はプラグ５２の接続ピン５３に接続されている。
【００５５】
筒体６０は下端に流入口６２が開口され、図２のエアーポンプ部４０から送られた加圧空気を矢印Ａに示すように、筒体６０の中に導入する。また、筒体６０の上部には放出口６４が開口され、流入口６２から導入した空気を上方に放出させている。
【００５６】
液体供給部６６は、例えばガラス繊維等の繊維系不燃性フィルタ又は発泡樹脂製の不燃性フィルタを棒状に形成したものであり、フィルタは表面のあらゆる方向に向かって通気可能に開口した多数の空隙孔が内部に形成されており、この空隙孔内に発煙剤となる所定の水溶性液体を含浸させている。
【００５７】
液体供給部６６には、ニクロム線、白金線等の金属線を用いたヒータ６８がスパイラル状に巻き付けられており、液体供給部６６に含浸された水溶性液体をヒータ６８に接触させ、ヒータ６８に対する通電により加熱で、液体供給部６６に含浸された水溶性液体を気化させ、気流に乗せて放出口６４から放出させることで霧化された擬似煙（エアロゾル）を発生させる。
【００５８】
液体供給部６６に含浸させる水溶性液体としては、親水性を有し保水性が高い成分、例えば、グリセリン、プロピレングリコール等の成分のうち少なくとも一の成分を含む人体に無害な水溶性液体が用いられている。
【００５９】
液体供給部６６に含浸されたグリセリン、プロピレングリコール等の成分を含む水溶性液体をヒータ６８により加熱して気化させると、グリセリン、プロピレングリコール等の成分が水と共に蒸発し、放出口６４から放射された後に冷えて核となり、これに水蒸気が凝集して白い煙状になることで擬似煙が生成される。
【００６０】
このようにして生成された擬似煙にあっては、プロピレングリコールやグリセリンは親水性が高く、蒸発した水分を取り込むと共に、取り込んだ水分の蒸発を防ぐ効果が高いために、白い煙が比較的長時間にわたり空気中に浮遊することになる。
【００６１】
（カートリッジ交換蓋）
図５に示すように、操作部１２にはカートリッジ交換蓋１９が着脱自在に設けられており、操作部１２から図示のように、カートリッジ交換蓋１９を取り外すと、支持棒１４の周側面に形成された開口２３の内部にホルダー３４の先端に装着された発煙カートリッジ３６が露出した状態となり、使い終わった発煙カートリッジ３６を取り外し、新しい発煙カートリッジに差し替え、カートリッジ交換蓋１９を閉じる。
【００６２】
なお、発煙カートリッジ３６の交換は支持棒１４を装着したままできるが、支持棒２２に開口２３を形成しない場合には、操作部１２から支持棒１４を外した状態でカートリッジ交換蓋１９を開いて発煙カートリッジ３６を交換できる。また、カートリッジ交換蓋１９は開閉自在な扉構造としても良い。
【００６３】
［加煙試験器具による試験作業］
次に、本実施形態の加煙試験器具１０を使用した煙感知器の動作試験について説明する。
【００６４】
図１に示すように、加煙試験器具１０により煙感知器３０の動作試験を行うには、操作部１２の電源スイッチ２０をオンにして、天井面に設置された煙感知器３０に感知器カバー１６を被せ、感知器カバー１６の周端縁を天井に密着させる。
【００６５】
この状態で操作スイッチ１８をオンにすると、図２に示す制御部４８が操作スイッチ１８のオンを検出してエアーポンプ部４０を駆動し、エアーホース４２を介して発煙カートリッジ３６に加圧空気を送り込み、また、送風部４４を駆動してホルダー３４内、発煙カートリッジ３６の周囲、支持棒１４の内部通路を通って感知器カバー１６内に風を送り込む。
【００６６】
エアーポンプ部４０からの送風によりエアーホース４２の途中に設けられた気流検知部４６から気流検出信号の信号レベルが増加し、制御部４８は気流検知信号が所定の閾値レベル以上になると発煙カートリッジ３６に設けているヒータ６８に通電して加熱させる。このように発煙カートリッジ３６に対する気流が増加しないとヒータ６８が通電されないため、気流がない場合や気流が低い場合のヒータ６８の通電による異常な加熱を防止可能としている。
【００６７】
ヒータ６８の通電により液体供給部６６が加熱されると、液体供給部６６に含浸されているグリセリン、プロピレングリコール等の成分を含む水溶性液体が気化され、エアーポンプ部４０からの加圧空気により放出口６４から放出されることで霧化され、擬似煙が生成される。
【００６８】
発煙カートリッジ３６から放出された擬似煙は、ホルダー３４内を通って送風部４４から送られてくる気流により支持棒１４の内部通路を通って上方に送られ、支持棒１４の先端の拡散ガイド２６から感知器カバー１６内に放出される。
【００６９】
このとき煙感知器３０が正常に動作していると、擬似煙が所定濃度に達した場合に煙感知器３０が発報して発報信号を受信機に送信して警告音を出力させ、また、煙感知器３０に設けられた発報表示灯が点灯し、煙感知器３０が正常に動作したことが確認できる。
【００７０】
ここで、加煙試験器具１０を使用して最初の煙感知器の動作試験を行う場合、操作部１２の発煙部３２で生成された擬似煙が支持棒１４の内部通路を通って感知器カバー１６内に送り込まれて、煙感知器３０が発報する濃度に達するまでに、少し時間がかかる。しかし、２台目以降の煙検知器の動作試験では、前回の試験で生成した擬似煙が支持棒１４の内部通路に滞留しており、操作スイッチ１８をオンすると、滞留している擬似煙が感知器カバー１６内に直ぐに送り出されることで、時間遅れをほとんど生ずることなく、短時間で煙感知器が発報する濃度とすることが可能となる。
【００７１】
加煙試験器具１０を使用して煙感知器の動作試験を繰り返していると、発煙カートリッジ３６の液体供給部６６に含浸している水溶性液体が残り少なくなり、発煙量が低下してくる場合がある。
【００７２】
この場合には、操作部１２に設けている発煙カートリッジ３６を新しいものに交換する。発煙カートリッジ３６の交換は、図５に示すように、操作部１２に設けたカートリッジ交換蓋１９を開けることにより行う。カートリッジ交換蓋１９を開けると、支持棒１４の開口２３の中に、発煙カートリッジ３６の側周面が露出した状態となり、使い終わった発煙カートリッジ３６を取り外し、新しい発煙カートリッジに差し替え、カートリッジ交換蓋１９を閉じる。このように発煙カートリッジ３６を使い切った場合には、手元側の操作部１２への作業だけで簡単に新品に交換することが可能となる。
【００７３】
［気流検知部のない実施形態］
本発明による加煙試験器具の他の実施形態として、図２の発煙部３２に設けている気流検知部４６を除いた構成としても良い。
【００７４】
気流検知部４６を持たない実施形態にあっては、制御部４８は、操作スイッチ１８のオン操作を検出した場合、エアーポンプ部４０及び送風部４４の駆動に加え、発煙カートリッジ３６に内蔵されたヒータ６８の温度制御を行う。このように気流検知部４６を設けていなくとも、エアーポンプ部４０の駆動により発煙カートリッジ３６に加圧空気が送られることから、発煙カートリッジ３６内を通過する気流が断たれることはなく、ヒータ６８の異常な加熱が起きる可能性もないことから、実用上は、気流検知部４６を設けなくとも正常に動作させることが可能となる。
【００７５】
［操作部の他の実施形態］
図６は図１の操作部に設けられた発煙部構造の他の実施形態を示した説明図である。
図６に示すように、本実施形態にあっては、図２の実施形態のホルダー３４を長くすることで、発煙カートリッジ３６を取付穴１５の開口位置から外部に露出するように配置している。
【００７６】
発煙カートリッジ３６の交換は、操作部１２の取付穴１５から支持棒１４を取り外すと、ホルダー３４の先端に装着している発煙カートリッジ３６が外部から把持可能な状態となり、カートリッジ取付部５０から使い終わった発煙カートリッジ３６を取り外し、新しい発煙カートリッジに差し替え、再び、支持棒１４を装着する。このように発煙カートリッジ３６を使い切った場合には、簡単に新品に交換することが可能となる。
【００７７】
［本発明の変形例］
（発煙カートリッジ）
上記の実施形態は、発煙カートリッジ３６の液体供給部６６に含浸させた水溶性液体を使い切った場合に、新しい発煙カートリッジに交換するようにしているが、発煙カートリッジ３６を交換せずに、例えば、発煙カートリッジ３６の上端の放出口６６から、スポイト等を使用して水溶性液体を液体供給部６６に注入して含浸させるようにしても良い。
【００７８】
このような水溶性液体の補充による含浸を効率良く可能とするため、例えば、液体供給部６６を中空穴の棒状フィルタ部材とし、中空穴に外部から溶性液体を注入して含浸させるようにしても良い。なお、水溶性液体の補充を可能とした発煙カートリッジにあっても、繰り返し使用しているとフィルタ詰まりが起きることから、ある程度使用した段階で、新品と交換するといった使い方が望ましい。
【００７９】
（操作部の機器配置）
上記の実施形態における操作部に対する発煙部３２を構成する電源部３８、ホルダー３４、発煙カートリッジ３６、エアーポンプ部４０、エアーホース４２、送風部４４、気流検知部４６及び制御部４８の配置は一例であり、これに限定されず、必要に応じて適宜の配置をとることができる。
【００８０】
（その他）
また、支持棒の操作部への挿入の深さを発煙カートリッジよりも浅くなるようにしホルダー３４内のカートリッジ交換部を開放した際に、支持棒が発煙カートリッジの露出を妨げないようにし、支持棒の開口２３を設けないような構造としても良い。
【００８１】
また本発明は、その目的と利点を損なうことのない適宜の変形を含み、更に、上記の実施形態に示した数値による限定は受けない。
【符号の説明】
【００８２】
１０：加煙試験器具
１２：操作部
１４：支持棒
１５：取付穴
１６：感知器カバー
１７：収納部
１８：操作スイッチ
１９：カートリッジ交換蓋
２０：電源スイッチ
２２：第１パイプ部材
２４：第２パイプ部材
２６：拡散ガイド
２７：カバー本体
２８：追加カバー
３０：煙感知器
３２：発煙部
３４：ホルダー
３６：発煙カートリッジ
３８：電源部
４０：エアーポンプ部
４２：エアーホース
４４：送風部
４６：気流検知部
４８：制御部
５０：カートリッジ取付部
５２：プラグ
５３：接続ピン
５４：コネクタ
５５：開口
５６：ホース接続口
５８：通風路
６０：筒体
６２：流入口
６４：放出口
６６：液体供給部
６８：ヒータ
【図１】
2017228019.tif 000003
【図２】
2017228019.tif 000004
【図３】
2017228019.tif 000005
【図４】
2017228019.tif 000006
【図５】
2017228019.tif 000007
【図６】
2017228019.tif 000008